(57)【要約】      （修正有）【課題】ラグスクリューボルトを埋設する際の施工性がよく、木部に対して大きな引っ張り耐力が発現されるラグスクリューボルトの埋設方法、同方法による木造建築物の構造躯体の接合構造及び木造建築物を提供する。【解決手段】木造建築物の構造躯体の接合構造として、例えば柱と梁とをＴ字金具を介して連結固定する際に、Ｔ字金具を柱に対して固定するために使用されるラグスクリューボルト１を柱側の下穴１６にねじ込みながら埋設する際の埋設方法であって、下穴１６の内周壁面１６ａにラグスクリューボルト１のスクリュー部１ａのネジ山を案内するためのらせん状の案内溝を形成し、ラグスクリューボルト１をねじ込む際にスクリュー部１ａの先端寄りのネジ山を案内溝内において木部に食い込ませるともにネジ山を案内溝に案内させながら進出させてラグスクリューボルト１を埋設するようにした。【選択図】図４
2020066955.tif 000002
【特許請求の範囲】
【請求項１】
木造建築物の第１の木製構造躯体と第２の木製構造躯体とを接合金具を介して連結固定する際に、前記接合金具を前記第１の木製構造躯体に対して固定するために使用されるラグスクリューボルトを前記第１の木製構造躯体側のボルト用穴にねじ込みながら埋設する際の埋設方法であって、
前記ボルト用穴の内周壁面に前記ラグスクリューボルトのスクリュー部のネジ山を案内するためのらせん状の案内溝を形成し、前記ラグスクリューボルトをねじ込む際に前記スクリュー部の先端寄りのネジ山を前記案内溝内において木部に食い込ませるともに前記スクリュー部のネジ山を前記案内溝に案内させながら進出させて前記ラグスクリューボルトを埋設するようにしたラグスクリューボルトの埋設方法。
【請求項２】
木造建築物の木製構造躯体を基礎側に連結固定する際に、前記基礎上に設置される柱脚金具と前記木製構造躯体とを連結するために使用されるラグスクリューボルトを前記木製構造躯体側のボルト用穴にねじ込みながら埋設する際の埋設方法であって、
前記ボルト用穴の内周壁面に前記ラグスクリューボルトのスクリュー部のネジ山を案内するためのらせん状の案内溝を形成し、前記ラグスクリューボルトをねじ込む際に前記スクリュー部の先端寄りのネジ山を前記案内溝内において木部に食い込ませるともに前記スクリュー部のネジ山を前記案内溝に案内させながら進出させて前記ラグスクリューボルトを埋設するようにしたラグスクリューボルトの埋設方法。
【請求項３】
前記案内溝は前記ボルト用穴の奥寄りから開口部方向側に向かって徐々に深くなるように形成されている部分を有することを特徴とする請求項１又は２に記載のラグスクリューボルトの埋設方法。
【請求項４】
前記ボルト用穴の開口部寄りに形成される前記案内溝を均等な形状とすることを特徴とする請求項１〜３のいずれかに記載のラグスクリューボルトの埋設方法。
【請求項５】
前記ラグスクリューボルトの前記スクリュー部のネジ山は先端寄り位置に定常的な形状よりも相対的に雄ネジ外形が小さくなる部分を有することを特徴とする１〜４のいずれかに記載のラグスクリューボルトの埋設方法。
【請求項６】
前記ラグスクリューボルトの前記スクリュー部のネジ山の谷径は前記ボルト用穴の内径よりもわずかに小さいことを特徴とする請求項１〜５のいずれかに記載のラグスクリューボルトの埋設方法。
【請求項７】
前記ラグスクリューボルトの前記スクリュー部のネジ山の山径は前記案内溝の谷径よりもわずかに大きいことを特徴とする請求項１〜６のいずれかに記載のラグスクリューボルトの埋設方法。
【請求項８】
前記ラグスクリューボルトの前記スクリュー部のネジ山と前記案内溝は、横断面方向において同じフランク角となるように形成されていることを特徴とする請求項７に記載のラグスクリューボルトの埋設方法。
【請求項９】
請求項１〜８のいずれかの方法で前記ラグスクリューボルトを埋設している木造建築物の構造躯体の接合構造。
【請求項１０】
請求項９に記載の木造建築物の構造躯体の接合構造を備えた木造建築物。
【発明の詳細な説明】
【技術分野】
【０００１】
本発明はラグスクリューボルトの埋設方法、同方法による木造建築物の構造躯体の接合構造及び木造建築物等に関するものである。
【背景技術】
【０００２】
従来から木造建築物の木製構造躯体を連結固定するため、構造躯体の接合面に接合金具を配置することが行われている。例えば、構造躯体としての梁と柱を接合するためにはラグスクリューボルトを使用して接合金具を梁や柱や土台等に固定し、これらの接合金具に対して他の柱や梁を連結するようにする。また、例えば、柱を基礎に固定する際には接合金具を基礎にセットし、この接合金具に対してラグスクリューボルトを使用して柱を立設させる。
このようにラグスクリューボルトを使用して木製構造躯体と接合金具を連結する建築工法の例として特許文献１及び２を示す。特許文献１では構造躯体としての梁１１の上に同じく構造躯体としての管柱１２を連結するためにラグスクリューボルト１５で接合金具としてのＴ字金具１３を固定し、管柱１２を接合金具を介して連結固定する技術が開示されている。また、例えば特許文献２では基礎５６上に固定された柱脚金物５７に 柱５８を立設させる際に柱５８の下端面からラグスクリューボルト６９をねじ込みながら埋設して柱脚金物５７に対してこのラグスクリューボルト６９で柱５８を固定する。
【先行技術文献】
【特許文献】
【０００３】
【特許文献１】特開２０００−６４４２６号公報
【特許文献２】特開２０１７−１５４１６５号公報
【発明の開示】
【発明が解決しようとする課題】
【０００４】
ところで、このようなラグスクリューボルトを木製構造躯体に埋設する際には、まず、ラグスクリューボルトを埋め込む面にドリルで案内穴を形成し、この案内穴に対して開口部側からジグを用いてラグスクリューボルトを無理嵌め状にねじ込んでいくものである。ラグスクリューボルトをねじ込むことによってスクリュー部のネジ山が案内穴の内周壁面に食い込んで雄ネジと雌ネジの嵌合関係となるためラグスクリューボルトの引っ張り耐力が発現されるというものである。
しかし、埋設が進むにつれてラグスクリューボルトのスクリュー部のネジ山が案内穴の内周壁面に食い込んで木部とスクリュー部との摩擦が大きくなるためねじ込みのトルクもそれに伴って大きくならざるを得ず、施工性がよくなかった。
また、スクリュー部のネジ山が案内穴の内周壁面の繊維方向に対してこれを剪断するように進行するので内周壁面がささくれるように破壊されることとなり、また、図１０に示すように、内周壁面１００がラグスクリューボルト１０１のスクリュー部１０１ａのネジ山に押圧されることで山と山の間の内周壁面１００が引っ張られてしまってラグスクリューボルト１０１のネジ山が木部と密着せずにネジ山側面と木部の間に予定外の隙間１０２ができてしまう場合もあった。それら木部破壊や隙間の発生は引っ張り耐力を低下させる原因ともなる。
本発明は、主として上記の課題等を解決したラグスクリューボルトの埋設方法、同方法による木造建築物の構造躯体の接合構造及び木造建築物を提供するものである。
【課題を解決するための手段】
【０００５】
手段１として、木造建築物の第１の木製構造躯体と第２の木製構造躯体とを接合金具を介して連結固定する際に、前記接合金具を前記第１の木製構造躯体に対して固定するために使用されるラグスクリューボルトを前記第１の木製構造躯体側のボルト用穴にねじ込みながら埋設する際の埋設方法であって、前記ボルト用穴の内周壁面に前記ラグスクリューボルトのスクリュー部のネジ山を案内するためのらせん状の案内溝を形成し、前記ラグスクリューボルトをねじ込む際に前記スクリュー部の先端寄りのネジ山を前記案内溝内において木部に食い込ませるともに前記スクリュー部のネジ山を前記案内溝に案内させながら進出させて前記ラグスクリューボルトを埋設するようにした。
また、手段２として、木造建築物の木製構造躯体を基礎側に連結固定する際に、前記基礎上に設置される柱脚金具と前記木製構造躯体とを連結するために使用されるラグスクリューボルトを前記木製構造躯体側のボルト用穴にねじ込みながら埋設する際の埋設方法であって、前記ボルト用穴の内周壁面に前記ラグスクリューボルトのスクリュー部のネジ山を案内するためのらせん状の案内溝を形成し、前記ラグスクリューボルトをねじ込む際に前記スクリュー部の先端寄りのネジ山を前記案内溝内において木部に食い込ませるともに前記スクリュー部のネジ山を前記案内溝に案内させながら進出させて前記ラグスクリューボルトを埋設するようにした。
【０００６】
このような構成において、手段１では第１の木製構造躯体の、手段２では木製構造躯体のそれぞれ取り付け面に形成したボルト用穴の開口部からラグスクリューボルトをねじ込んでいくと、ラグスクリューボルトはそのスクリュー部のネジ山がボルト用穴の内周壁に形成された案内溝に案内されながらボルト用穴の奥に進出していく。その際にラグスクリューボルトの先端寄りのスクリュー部のネジ山は案内溝内において案内溝の内壁を押圧しながら食い込む（めり込む）こととなる。後続のネジ山は先行する（先端寄りの）ネジ山によって拡開された案内溝に先行するネジ山よりも浅く食い込みながら（あるいは食い込むことなく）案内されていくこととなる。
ネジ山はネジ山に応じてボルト用穴に凹設された案内溝に案内されて進出するため、ねじ込みのトルクは案内されない場合に比べて小さくてよく施工性が向上する。また、案内されながらもネジ山は木部に食い込むため、特にラグスクリューボルトのスクリュー部先端寄りは木部にしっかりと保持されることなり、後続のスクリュー部も案内溝内において、ねじ作用によって密着して固定されるためラグスクリューボルト全体として非常に大きな引っ張り耐力が発現されることとなる。
また、スクリュー部のネジ山は凹凸関係で対応する案内溝内に配置され従来のようにネジ山をボルト用穴の内周壁面木部に深く食い込ませなくともよくなり、ネジ山間の内周壁面が引っ張られてしまって内周壁面が傷つくにくく、木部破壊も生じにくく、内周壁面が引っ張られることによるラグスクリューボルトとの間の隙間もできにくくなる。
【０００７】
ここに手段１の「第１の（第２の）木製構造躯体」は、木造建築物を建築する際の骨組み（架構を構成する部材）にあたる部分であって、例えば壁、柱、横架材(梁、桁等)、土台、母屋等を広くいう。手段２の「木製構造躯体」も、木造建築物を建築する際の骨組み（架構を構成する部材）にあたる部分であって基礎側に連結固定される部材である。例えば壁、柱等をいう。また、これらはムクの木でも集成材、例えば、ＣＬＴ（Cross Laminated Timber）と称される直交集成板であってもよい。
「らせん状の案内溝」のらせん形状はラグスクリューボルトのスクリュー部のネジ山と同ピッチに構成されることがよい。ピッチが一緒であるとスクリュー部のネジ山が案内溝と一致してずれずに案内されるからである。また、ここでスクリュー部のネジ山を案内溝内に配置してねじ込んでいくようにしていることは案内溝がない場合にボルト用穴の内周面木部へスクリュー部のネジ山が直接食い込む食い込み量を軽減することが狙いである。案内溝を設けることでネジ山の一部のみ、例えば三角の断面の山であれば山の先端寄りの尖端部分のみを食い込ませることが可能となる。もし、スクリュー部が案内溝内においてまったく食い込まないのであればラグスクリューボルトの機能を果たすことはできない。つまり、案内溝はラグスクリューボルトのスクリュー部を案内し、ネジ作用でグスクリューボルトを保持するとともに、案内溝の内部でスクリュー部が木部に食い込んで保持させるという２つの保持作用を発揮させるものとなる。
「ラグスクリューボルト」は、普通のナットや雌ネジと螺合させるのではなく、木ネジと同様にドリルのように木部に自ら食い込ませて木部と雄雌のネジ作用で固定される固定部材である。例えばヘッドを有していてもヘッドの代わりにナットで締め付けるためのボルト部を有していてもよい。
ラグスクリューボルトは「第１の（第２の）木製構造躯体」や「木製構造躯体」に対して１本でもよく複数が埋設される構成でもよい。
以上の語句の説明は以下の手段においても同様である。
【０００８】
また、手段３として、前記案内溝は前記ボルト用穴の奥寄りから開口部方向側に向かって徐々に深くなるように形成されている部分を有するようにした。
つまり、案内溝はボルト用穴の奥側ほど浅くなるような部分を有する。これによってラグスクリューボルトをねじ込んだ際に、奥側が強く木部に食い込むこととなり、ラグスクリューボルトの埋設工程終期においてラグスクリューボルト先端が特にしっかりと保持されることとなる。
また、手段４として、前記ボルト用穴の開口部寄りに形成される前記案内溝を均等な形状とするようにした。
これによってラグスクリューボルトのねじ込み動作において、ねじ込み開始から雄ネジ部が均等な形状の案内溝内を進行する限りは一定の挿入状態までは均等なトルクでラグスクリューボルトを回転させることができることとなり作業効率がよくなる。
【０００９】
また手段５として、前記ラグスクリューボルトの前記スクリュー部のネジ山は先端寄り位置に定常的な形状よりも相対的に雄ネジ外形が小さくなる部分を有するようにした。
これによって、ねじ込み当初は小さなトルクでラグスクリューボルトをねじ込むことができる。また、ラグスクリューボルトをねじ込んでいき、案内溝が浅くなっている部分に達した際も当初は小さなトルクでラグスクリューボルトをねじ込むことができる。
また、手段６として、前記ラグスクリューボルトの前記スクリュー部のネジ山の谷径は前記ボルト用穴の内径よりもわずかに小さいようにした。
少なくともラグスクリューボルトのスクリュー部のネジ山の谷径はボルト用穴の内径とよりも小さくなければラグスクリューボルトをボルト用穴に挿入する際の抵抗が大きすぎてしまい挿入が困難であるからである。また、あまり谷径が小さすぎるとがたつきが発生してしまう原因となるからでもある。
また手段７として、前記ラグスクリューボルトの前記スクリュー部のネジ山の山径は前記案内溝の谷径よりもわずかに大きいようにした。
これによって、ラグスクリューボルトのスクリュー部のネジ山を案内溝内で確実に木部に食い込ませることができる。
また手段８として、前前記ラグスクリューボルトの前記スクリュー部のネジ山と前記案内溝は、横断面方向において同じフランク角となるように形成されているようにした。
つまり、このような形状であるとラグスクリューボルトのスクリュー部のネジ山外周が案内溝にぴったり嵌まる形状であるため、両者の密着性が非常に高くラグスクリューボルトの保持力が向上することとなる。
また、手段１〜８のいずれかの方法で前記ラグスクリューボルトを埋設している木造建築物の構造躯体の接合構造としたり、そのような接合構造を備えた木造建築物を構築するようにした。
【発明の効果】
【００１０】
本発明によれば、ラグスクリューボルトのスクリュー部はその先端寄りで木部に食い込んでしっかりと保持されることなり、後続のスクリュー部も案内溝内において、ねじ作用によって密着して固定されることとなるためラグスクリューボルト全体として木部に対して大きな引っ張り耐力が発現されることとなる。
【図面の簡単な説明】
【００１１】
【図１】（ａ）は実施形態で使用するラグスクリューボルトの正面図、（ｂ）は同じラグスクリューボルトの（ａ）のＡ−Ａにおける断面図。
【図２】（ａ）はタップの前方側における正面図、（ｂ）は同じタップの（ａ）のＢ−Ｂ線における断面図、（ｃ）は同じタップの（ａ）のＣ−Ｃ線における断面図。
【図３】（ａ）は第１の木製構造躯体又は木製構造躯体に下穴を形成した状態でのその下穴における断面図、（ｂ）は（ａ）の下穴の内周面に案内溝を形成した状態の断面図。
【図４】（ａ）は図３（ｂ）の状態の下穴の領域Ａまでラグスクリューボルトを埋設した埋設途中の状態を説明する説明図、（ｂ）は同じく埋設完了状態の説明図。
【図５】実施例１に使用するＴ字金具の斜視図。
【図６】実施例１においてラグスクリューボルトが埋設された柱にそのラグスクリューボルトを使用してＴ字金具を固着する直前の説明図。
【図７】実施例１においてラグスクリューボルトとＴ字金具を介在させて柱と梁を連結固定する際の連結構造を説明する分解斜視図。
【図８】実施例２において（ａ）はラグスクリューボルトが埋設された柱を基礎上の柱脚金物を連結固定する際の連結構造を説明する分解正面図、（ｂ）は同じく連結固定完了後の正面図。
【図９】他の実施の形態で使用されるラグスクリューボルトの正面図。
【図１０】ラグスクリューボルトを下穴に埋設した際の従来の問題点を説明する説明図。
【発明を実施するための形態】
【００１２】
以下、本発明の一実施の形態であるラグスクリューボルトの埋設方法について図面に基づいて説明する。
まず、本実施の形態に使用するラグスクリューボルト１について説明する。
図１（ａ）（ｂ）に示すように、ラグスクリューボルト１はスクリュー部１ａを外周に備えたネジ部材である。本実施の形態では一例としてラグスクリューボルト１は全長２４０ｍｍとされ、スクリュー部１ａが約２００ｍｍにわたって形成されている。スクリュー部１ａにおけるネジのピッチは本実施の形態２では一例として６．０ｍｍで、内径（谷径）１４．１ｍｍ、外径（山径）２０．５ｍｍとされている。スクリュー部１ａに隣接した位置にはナット部１ｂが形成されている。ナット部１ｂはラグスクリューボルト１を回動させる際に図示しないジグが係合される部分であり外径が正六角形状に構成されている。スクリュー部１ａの各山の角度（フランク角）は４０度とされている。ナット部１ｂの幅（軸方向高さ）は８ｍｍとされている。ナット部１ｂに隣接した基端側領域には雄ネジ部１ｃが３５ｍｍにわたって形成されている。尚、ラグスクリューボルト１のスクリュー部１ａの長さ、ナット部１ｂの幅、ネジ部１ｃの長さ、スクリュー部１ａのネジのピッチ等の寸法は木製構造躯体に応じて適宜変更される。
【００１３】
次にラグスクリューボルト１を埋設するボルト用穴（下穴１６）の内周に案内溝を形成するためのタップ５について説明する。
図２（ａ）〜（ｃ）に示すように、タップ５はタップ本体６と、切削加工部７と、案内コマ８とから構成されている。タップ本体６は削りだし加工で作成された合金製の横断面円形形状に構成された中実の棒状部材である。タップ本体６の先端には他の部分に比べて大径とされた円柱形形状の案内用ヘッド６ａが削りだし加工によってタップ本体６と一体的に形成されている。切削加工部７は案内用ヘッド６ａ後方の隣接した取り付け位置に固定されている。切削加工部７は本体７ａと本体７ａ外周に配置された５枚の錐刃７ｂとから構成されている。錐刃７ｂは所定の山径、谷径、フランク角、ピッチのラグスクリューボルト用の雄ネジを想定し、その雄ネジを周方向の均等な間隙９（隙間）の５箇所で軸方向に沿ってカットした形状を前提とする。但し、後述するように山径のサイズのみは先端から後方に向かって順に徐々に高くなるように構成している。間隙９は切削した木くずを排出する通路の役割を果たす。この想定される雄ネジとはこの実施の形態ではラグスクリューボルト１のスクリュー部１ａのネジということになる。
【００１４】
各錐刃７ｂは軸方向に沿って板状に延出されており、切削刃となる９つの山１１（つまり周方向でカットされた雄ネジ形状）が形成されている。
軸方向に隣接する山１１のピッチはラグスクリューボルト１のネジのピッチと一致する。各山１１の切削刃となる上端面は周方向に湾曲しており、５枚の錐刃７ｂの山１１は図２（ｂ）に示すように先端から目視した際に円弧状に配置される。各山１１の鞍部の長手方向はタップ５の軸方向に対して雄ネジに対応して若干斜めに交差する方向に延出されており、各山１１の鞍部を長手方向は隣接する錐刃７ｂの山１１の鞍部を指向している。つまり、すべての錐刃７ｂの山１１はらせん状に連なるように配置されている。山１１はタップ５先端側が最も低く、後方（基部側）に向かって順に徐々に高くなるように構成されている。最も後方の山１１はラグスクリューボルト１のスクリュー部１ａのネジ山と同形状に構成され（これを完成形形状とする）、それよりも前方の山１１はその位置に応じて完成形形状に対して上部がカットた形状とされている。
【００１５】
切削加工部７に隣接したタップ本体６の外周には合金製の案内コマ８が固着されている。案内コマ８は円柱形形状の一種の筒体であり、切削加工部７を案内用ヘッド６ａと協働してタップ５の直進方向の進出の案内をする。案内用ヘッド６ａと切削加工部７の間のタップ本体６回りと切削加工部７と案内コマ８の間のタップ本体６回りは、タップ５を後述する下穴１６に挿入した際に切削した木くずを排出する際に木くずを溜める滞留領域１２とされる。
タップにおいては使用されるラグスクリューボルト及び下穴１６との関係で各部のサイズが決定される。本実施の形態のタップ５では、案内用ヘッド６ａと案内コマ８の径は１５．８ｍｍであり、後述する下穴１６の径１６．０ｍｍに対してわずかに小径とされている。また、切削加工部７の錐刃７ｂの完成形形状の山１１の径は２０．４ｍｍとされており、谷径は１４．１ｍｍとされている。このように、切削加工部７は下穴径よりも小さいため、タップ本体６に案内用ヘッド６ａと案内コマ８を設けて下穴１６を案内させるようにしているものである。
このようなタップ５はタップ本体６基部が図示しない周知の電気式ドリル装置に装着されて使用される。
尚、タップ５の案内用ヘッド６ａ、錐刃７ｂの形状、各山１１のピッチ等の寸法はラグスクリューボルト１の寸法に応じて適宜変更される。
【００１６】
次に上記のようなタップ５を使用して下穴１６内周面にらせん状に案内溝を形成させ、その下穴１６にラグスクリューボルト１を埋設する際の施工内容について説明する。下穴１６は適宜第１の木製構造躯体と第２の木製構造躯体とを接合する際に第１の木製構造躯体となる例えば壁、柱、横架材(梁、桁等)、土台、母屋等の所定位置に形成される。あるいはや木製構造躯体を基礎側に連結固定する際に木製構造躯体となる例えば壁、柱等の所定位置に形成される。
図３（ａ）に示すように、木質構造躯体（例えば、柱、壁、梁等）１５の平らな壁面１７所定の位置に図示しない周知のドリル装置によってボルト用穴としての下穴１６を穿設する。この穴の径は１６．０ｍｍであり内周壁面１６ａは滑らかに形成される。
図３（ｂ）に示すように、上記タップ５を下穴１６の開口部１６ｂから挿入し、図示しない周知のドリル装置によって内周壁面１６ａに案内溝１８を形成する。
このとき、タップ５は図２（ａ）（ｂ）に示すように案内用ヘッド６ａに案内させて下穴１６に挿入され、切削加工部７の錐刃７ｂを正回転方向、つまり、切削しながら切削抵抗で前進する力が作用する方向に回転させて内周壁面１６ａを切削していく。錐刃７ｂは先端寄りの高さの浅い山１１から木部に接して切削していき、後続する山１１は徐々に高く構成されているため、木部に対して常に錐刃７ｂが深く木部に食い込むことなく、切削におけるタップ５のトルクは比較的安定した低トルクでの切削が可能である。切削することで発生する木くずは間隙９や滞留領域１２に収容される。切削加工部７の錐刃７ｂの最も後方の山１が通過することで案内溝１８が予定された深さで形成されていく（完成されていく）。
【００１７】
予定された位置（ここでは下穴１６先端まで）に案内用ヘッド６ａを進出進出させた段階でドリル装置を操作してタップ５を逆回転させる。これによってタップ５は自身が切削した案内溝１８に案内されながら速やかに下穴１６の開口部１６ｂから離脱する。その際に間隙９や滞留領域１２に収容された木くずも排出される。この状態が図２（ｂ）の状態である。図２（ｂ）に示すように、下穴１６の内部には案内溝１８が全般にわたって形成されることとなるが、タップ５が最も進出した位置は案内用ヘッド６ａが配置されることとなるため、下穴１６最深部領域には案内溝１８は形成されない。また、案内用ヘッド６ａに続く奥位置では切削加工部７の錐刃７ｂが配置されるが、この領域では切削加工部７の錐刃７ｂの山１１の高さに応じて奥側ほど浅くなる溝が形成される。
【００１８】
このようにして案内溝１８が形成された下穴１６に対してラグスクリューボルト１を埋設する。埋設においては図示しないジグによってナット部１ｂを支持して正方向（時計回り方向）にねじ込んでいく。
ラグスクリューボルトのスクリュー部１ａのネジ山ピッチとは案内溝１８の形状と一致する。一方、山径と谷径は一致していない。山径は２０．５ｍｍであるため、図３（ａ）における領域Ａ（つまり完成形形状の山１１が通過した部分）では２０．４ｍｍの案内溝１８の底にスクリュー部１ａの先端寄りのネジ山はごくわずかにくいこむこととなる。後続するスクリュー部１ａのネジ山は案内溝１８が同じフランク角で構成されているため、ピッタリと面で密着しながらネジ作用で埋設されていく。図４（ａ）で示すように、ラグスクリューボルト１は領域Ａの部分では比較的低い均等なトルクで、かつネジ作用によって前方に送られながら埋設されることとなる。
一方、ラグスクリューボルト１が図４（ａ）の位置から図４（ｂ）の位置まで進出する際には、まず図３（ｂ）における領域Ｂでは徐々に案内溝１８の溝深さが浅くなるため、それに伴ってトルクが大きくなっていく。つまり、ラグスクリューボルト１のスクリュー部１ａは先端寄りが深く木部に食い込んでいくこととなる。そして図３（ｂ）における領域Ｃは案内溝１８がない領域であるためトルクは最大となりラグスクリューボルト１のスクリュー部１ａは先端寄りは最も深く木部に食い込むこととなる。本実施の形態ではラグスクリューボルト１のスクリュー部１ａがすべて下穴１６内に埋設されナット部１ｂとネジ部１ｃが外部に露出する。
【００１９】
以上のような実施の形態によって次のような効果が奏される。
（１）ラグスクリューボルト１のスクリュー部１ａはその先端寄りで木部に食い込んでしっかりと保持されることなり、後続のスクリュー部１ａも案内溝内において、ねじ作用によって密着して固定されることとなるため、ラグスクリューボルト１全体として非常に大きな引っ張り耐力が発現され、しっかりと第１の木製構造躯体又は木製構造躯体に埋設されることとなる。また、完成形形状の案内溝１８はラグスクリューボルト１と同形状であるが、案内溝１８の谷径（つまり、タップ５の山径）よりもラグスクリューボルト１の山径の方がごくわずかに大きい。そのため、ラグスクリューボルト１のスクリュー部１ａのネジ山は先端寄りが案内溝１８の谷にごくわずかに食い込み、形状が同じであるためネジ山側面が案内溝１８の内壁に強く密着されることとなるため、ラグスクリューボルト１のスクリュー部１ａにおける保持力が非常に大きくなる。
（２）ラグスクリューボルト１を第１の木製構造躯体又は木製構造躯体に埋設する際に、下穴１６だけ開けて埋設する場合に比べ、ラグスクリューボルトのスクリュー部１ａは案内溝１８内に配置され、案内溝１８にわずかに食い込むだけである。そのため、特に領域Ａでは下穴１６がの内部壁面がスクリュー部１ａに強く押圧されて木部破壊が生じることがなく、木部破壊による強度の劣化がない。
（３）案内溝１８は下穴１６奥部において奥側ほど浅くなるように構成され、最深部に溝を形成しないようにしている。そのため、ラグスクリューボルト１は下穴１６の開口部１６ｂから領域Ａの部分では比較的低い均等なトルクで速やかにラグスクリューボルト１を進出させることができ、奥側でのみ強く木部に食い込むこととなり、作業性と大きな引っ張り耐力の両方が実現できる。
（４）領域Ｂの部分では徐々に案内溝１８が浅くなるように構成されているため、ラグスクリューボルト１を埋設する際に一気にスクリュー部１ａが木部に食い込むことがなく、木部破壊や破断が生じにくくなっている。
【００２０】
次に、上記の実施の形態を使用した具体的な構造の実施例を説明する。
（実施例１）
実施例１は第１の木製構造躯体としての柱２１と第２の木製構造躯体としての梁２２を接合する場合に接合金具としてのＴ字金具２３と組み合わせて上記ラグスクリューボルト１を使用する例である。
図４に示すように圧延鋼材よりなるＴ字金具２３は略長方形の当接プレート２４と略長方形の挿入プレート２５とが平面視においてＴ字状となるように溶接によって接合されて構成されている。柱２１に当接される当接プレート２４には上下方向（垂直方向）において等間隔に４つの透孔２６が形成されている。当接プレート２４の前面には上下方向に沿って４つのジベル２７が溶接によって固着されている。ジベル２７は等幅・等厚のベルト状の板材を無端状のリングとして構成されている。ジベル２７の中央位置にはラグスクリューボルト１のネジ部１ｃを挿通する透孔２８が形成されている。挿入プレート２５の当接プレート２４に隣接した位置であって各ジベル２７に面した位置には小判形状の長孔を短径側に沿って半分にカットしたような形状のナット取り付け穴２９が形成されている。挿入プレート２５には１つの切り欠き３０と４つの透孔３１が上下方向に直列に配置されて形成されている。
【００２１】
柱２１と梁２２との接合においては、まず、図６に示すように、上記の手法でラグスクリューボルト１をジベル嵌合溝３２が形成されている所定の位置に埋設した柱２１に対してＴ字金具２３の当接プレート２４をジベル２７が対応するジベル嵌合溝３２に嵌合されるように取り付ける。そして、透孔２８からナット取り付け穴２９に露出したラグスクリューボルト１のネジ部１ｃに対してワッシャ３３を介してナット３４を締め付け固定する。これによってＴ字金具２３は柱２１側面にしっかりと固定される。
次いで、このような状態のＴ字金具２３に対して梁２２を接合する。梁２２の端面にはスリット３５が形成されている。スリット３５内に挿入プレート２５が収容されるように梁２２を導いて側方からドリフトピン３６を打ち込んで梁２２を固定する。尚、実際の施工では一番上のドリフトピン用透孔３７に前もってドリフトピン３８を打ち込んでおくことで、梁２２を下降させてそのドリフトピン３８を切り欠き３０に干渉させて梁２２の位置決めをする。他のドリフトピン３８はその位置決め後に打ち込まれることとなる。
このように本実施の形態の方法で埋設されたラグスクリューボルト１を使用した場合には柱２１に対する梁２２の横方向の引き抜き力に対する耐力が従来の場合と比較して非常に向上することとなる。
【００２２】
（実施例２）
実施例２は木製構造躯体としての柱４１を基礎Ｂ上に固定する際に柱脚金物４２と組み合わせて上記ラグスクリューボルト１を使用する例である。
図８（ａ）（ｂ）に示すように、柱脚金物４２はベース部としての上板４３と、上板４３に対して平行に配置された上板４３の下方に配置される下板４４と、上板４３と下板４４との間に間隔を空けて配設された２枚の同形状の脚板４５とから構成されたボックス形状を成している。上板４３と下板４４に対して各脚板４５は上下位置で溶接によって接合されている。上板４３にはラグスクリューボルト１のネジ部１ｃを上板４３の下方に露出させるための第１の透孔４６が形成され、下板４４には基礎Ｂ上に埋設されたアンカーボルト４７を下板４４の上方に露出させるための第２の透孔４７が形成されている。
【００２３】
柱４１を柱脚金物４２を介して基礎Ｂ上に接合においては、図８（ａ）（ｂ）に示すように、柱脚金物４２を基礎Ｂ上のアンカーボルト４７を第２の透孔４７から上方に露出するように配置し、ワッシャ４８とナット４９によって締め付け固定する。そして、そのようにして基礎Ｂ上に固定された柱脚金物４２の上板４３上に上記の手法でラグスクリューボルト１を下端面４１ａに埋設した柱４１を立設する。柱４１はラグスクリューボルト１のネジ部１ｃが上板４３の第１の透孔４６から下方に露出するように配置し、ワッシャ５０とナット５１によって締め付け固定する。
このように本実施の形態の方法で埋設されたラグスクリューボルト１を使用した場合には柱２１に対する上下方向の引き抜き力に対する耐力が従来の場合と比較して非常に向上することとなる。
【００２４】
上記実施の形態は本発明の原理およびその概念を例示するための具体的な実施の形態として記載したにすぎない。つまり、本発明は上記の実施の形態に限定されるものではない。本発明は、例えば次のように変更した態様で具体化することも可能である。
・上記実施の形態のラグスクリューボルト１の形状は一例であって、他の形態で実施することも自由である。例えばネジ山の形状やピッチ、フランク角の変更はもとより、例えば、上記ではラグスクリューボルト１を回転させるためにナット部１ｂをスクリュー部１ａとネジ部１ｃの間に設けるような仕様であったが、例えばナット部１ｂを設けずにスクリュー部にネジ部を隣接させ、ネジ部の端面位置にナット部を形成したり、ネジ部やナット部を設けずに六角ヘッドをスクリュー部端部に設けるような仕様でもよい。また、上記ラグスクリューボルト１のスクリュー部１ａは先端までネジ山が同寸で形成されていたが、これを例えば図９のように先端側を下穴１６に挿入しやすくするためにネジ山を小さくして小径に構成するようにしてもよい。
・グスクリューボルト１の仕様態様の実施例として上記では実施例１と実施例２を示したが、他の態様でもよい。
・ラグスクリューボルト１は下穴１６にスクリュー部１ａをすべて埋設しなくともよい。・タップ５で形成される案内溝１８の領域Ａ〜Ｃの長さは適宜変更可能である。
・上記実施の形態ではラグスクリューボルト１のスクリュー部１ａの形状は案内溝１８の領域Ａで若干スクリュー部１ａの山径を大きく構成していた。これによって案内溝１８領域でラグスクリューボルト１は木部に食い込むような構成であった。しかし、ラグスクリューボルト１のトルクをより軽減するために案内溝１８にラグスクリューボルト１のスクリュー部１ａが食い込まないような領域を設けるようにしてもよい。例えば、スクリュー部１ａの山径と案内溝１８の谷径を一致させたり、むしろ案内溝１８の谷径を一部で大きくする等で構成するようにしてもよい。
・実施例１や実施例２に使用されるＴ字金具２３や柱脚金物４２は一例である。梁２２や柱４１のサイズに応じて適宜ジベル２７の数や大きさ・形状を変更したＴ字金具２３や柱脚金物４２が使用される。
【００２５】
本願発明は上述した実施の形態に記載の構成に限定されない。上述した各実施の形態や変形例の構成要素は任意に選択して組み合わせて構成するとよい。また各実施の形態や変形例の任意の構成要素と、発明を解決するための手段に記載の任意の構成要素または発明を解決するための手段に記載の任意の構成要素を具体化した構成要素とは任意に組み合わせて構成するとよい。これらについても本願の補正または分割出願等において権利取得する意思を有する。
また、意匠出願への変更出願により、全体意匠または部分意匠について権利取得する意思を有する。図面は本装置の全体を実線で描画しているが、全体意匠のみならず当該装置の一部の部分に対して請求する部分意匠も包含した図面である。例えば当該装置の一部の部材を部分意匠とすることはもちろんのこと、部材と関係なく当該装置の一部の部分を部分意匠として包含した図面である。当該装置の一部の部分としては、装置の一部の部材としてもよいし、その部材の部分としてもよい。
【符号の説明】
【００２６】
１…ラグスクリューボルト、１ａ…スクリュー部、１６…ボルト用穴としての下穴、１６ａ…内周壁面、１８…案内溝、２１…第１の木製構造躯体としての柱、２２…第１の木製構造躯体としての梁、２３…接合金具としてのＴ字金具、４１…木製構造躯体としての柱、４２…柱脚金具としての柱脚金物、Ｂ…基礎。
【図１】
2020066955.tif 000003
【図２】
2020066955.tif 000004
【図３】
2020066955.tif 000005
【図４】
2020066955.tif 000006
【図５】
2020066955.tif 000007
【図６】
2020066955.tif 000008
【図７】
2020066955.tif 000009
【図８】
2020066955.tif 000010
【図９】
2020066955.tif 000011
【図１０】
2020066955.tif 000012